(57)【要約】【課題】コンピュータ装置において、リンク先ソフトを直ぐに且つ容易に起動できる使い勝手の良好なものとする。【解決手段】コンピュータ装置は、入力部、制御部及びディスプレイ部を備えている。入力部は、文字などを入力するためのキー部と、リンク先ソフトを起動するためのリンクボタン部８とを備えている。リンクボタン部８は、周縁部を傾動可能なリンクボタン８ａと、リンクボタン８ａの傾動によりオンしてリンク先ソフトを起動させる複数のリンクスイッチ８ｂと、リンクスイッチ８ｂで起動させるリンク先ソフトに対応して異なる色を発光する複数のＬＥＤ８ｃとを備えている。【選択図】  図３
2004287546.tif 000002
【特許請求の範囲】
【請求項１】
入力部、制御部及びディスプレイ部を備え、
前記入力部は、文字などを入力するためのキー部と、リンク先ソフトを起動するためのリンクボタン部とを備え、
前記リンクボタン部は、周縁部を傾動可能なリンクボタンと、前記リンクボタンの傾動によりオンしてリンク先ソフトを起動させる複数のリンクスイッチと、前記リンクスイッチで起動させるリンク先ソフトに対応して異なる色を発光する複数のＬＥＤとを備えた
ことを特徴とするコンピュータ装置。
【請求項２】
前記リンクボタンは周縁部の４方向で傾動するように設けられ、前記リンクスイッチは前記リンクボタンの周縁部の４箇所に設けられ、前記ＬＥＤは前記４箇所のリンクスイッチのそれぞれに対応して設けられたことを特徴とする請求項１に記載のコンピュータ装置。
【請求項３】
制御部を収納すると共に上面に入力部を設けた本体部と、前記本体部に回動可能に装着されると共に液晶ディスプレイを有するディスプレイ部とを備え、
前記入力部は、文字などを入力するためのキー部と、リンク先ソフトを起動するためのリンクボタン部とを備え、
前記リンクボタン部は、周縁部を傾動可能なリンクボタンと、前記リンクボタンの傾動によりオンしてリンク先ソフトを起動させる複数のリンクスイッチと、前記リンクスイッチで起動させるリンク先ソフトに対応して異なる色を発光する複数のＬＥＤとを備え、
前記制御部は前記リンクボタン部で起動させるリンク先ソフトを設定するリンク設定手段を備えた
ことを特徴とするコンピュータ装置。
【請求項４】
前記本体部の上面後部に前記キー部を設け、カーソル位置を可変操作するためのフラット型ポインティングデバイスであるタッチパッド部を前記キー部の前方に設け、カーソル位置に応じた指示を入力するための左右クリックボタン部を前記タッチパッド部の前方に並設し、前記リンクボタン部を前記タッチパッド部の境界部に一部が入り込むように設けたことを特徴とするコンピュータ装置。
【請求項５】
前記リンク先設定手段は前記リンクスイッチの数より多いリンク先ソフトを設定する機能を有し、前記リンクボタン部は、リンク先ソフトを起動した後に次のリンク先ソフトの起動を可能にすると共に、次のリンク先ソフトに対応する色を発光するようにした請求項３に記載のコンピュータ装置。
【請求項６】
前記リンクボタン部は、特定のリンク先ソフトを起動した後にその表示画面のスクロール機能を有すると共に、当該スクロール機能に対応する色をスクロール可能な方向に発光するようにした請求項１から４の何れかに記載のコンピュータ装置。
【請求項７】
前記リンクボタン部は、複数のリンク先ソフトを起動した後に、起動された特定のリンク先ソフトのメール受信や録画開始などが自動的に行われた場合に、他に優先してこの動作に対応する色を回転して発光するようにした請求項１から５の何れかに記載のコンピュータ装置。
【請求項８】
メール受信が自動的に行われた場合に色を一方に回転して発光するようにすると共に、録画開始が自動的に行われた場合に色を他方に回転して発光するようにした請求項７に記載のコンピュータ装置。
【発明の詳細な説明】
【０００１】
【発明の属する技術分野】
本発明は、コンピュータ装置に係り、特にリンクボタン部を備えたコンピュータ装置に好適なものである。
【０００２】
【従来の技術】
従来のコンピュータ装置としては、例えば特開平１１−２１２６６５号公報（特許文献１）に開示されているものがある。このコンピュータ装置は、制御部を収納すると共に表面に入力部を設けた本体部と、液晶ディスプレイを有するディスプレイ部とを備えている。入力部は、文字などを入力するためのキー部と、カーソル位置を可変操作するためのフラット型ポインティングデバイスと、カーソル位置に応じた指示を入力するための左右クリックボタンをフラット型ポインティングデバイスの前方に並設して構成されている。フラット型ポインティングデバイスはキー部の前方に設けられ、左右クリックボタンはフラット型ポインティングデバイスの前方に並設されている。
【０００３】
【特許文献１】
特開平１１−２１２６６５号公報
【０００４】
【発明が解決しようとする課題】
しかし、特許文献１のコンピュータ装置では、リンク先ソフトをワンタッチ操作で起動する手段が備えられていないため、リンク先ソフトを起動することが面倒であった。そのため、リンク先ソフトをワンタッチ操作で起動するリンクボタン部を備えたものが案出されている。
【０００５】
しかし、このリンクボタン部を備えたコンピュータ装置では、リンクボタン部で起動することが可能なリンク先ソフトを具体的に認識することが難しく、使い勝手の悪いものであった。リンク先ボタン部の操作部の数より多いリンク先ソフトを起動する場合には、特に認識が難しくなるという課題が生ずる。
【０００６】
本発明の目的は、リンク先ソフトを直ぐに且つ容易に起動できる使い勝手の良好なコンピュータ装置を提供することにある。
【０００７】
【課題を解決するための手段】
上記した目的を達成するために、本発明は、入力部、制御部及びディスプレイ部を備え、前記入力部は、文字などを入力するためのキー部と、リンク先ソフトを起動するためのリンクボタン部とを備え、前記リンクボタン部は、周縁部を傾動可能なリンクボタンと、前記リンクボタンの傾動によりオンしてリンク先ソフトを起動させる複数のリンクスイッチと、前記リンクスイッチで起動させるリンク先ソフトに対応して異なる色を発光する複数のＬＥＤとを備えた構成としている。そして、より好ましくは、前記リンクボタンは周縁部の４方向で傾動するように設けられ、前記リンクスイッチは前記リンクボタンの周縁部の４箇所に設けられ、前記ＬＥＤは前記４箇所のリンクスイッチのそれぞれに対応して設けられたものである。
上記した目的を達成するために、本発明は、制御部を収納すると共に上面に入力部を設けた本体部と、前記本体部に回動可能に装着されると共に液晶ディスプレイを有するディスプレイ部とを備え、前記入力部は、文字などを入力するためのキー部と、リンク先ソフトを起動するためのリンクボタン部とを備え、前記リンクボタン部は、周縁部を傾動可能なリンクボタンと、前記リンクボタンの傾動によりオンしてリンク先ソフトを起動させる複数のリンクスイッチと、前記リンクスイッチで起動させるリンク先ソフトに対応して異なる色を発光する複数のＬＥＤとを備え、前記制御部は前記リンクボタン部で起動させるリンク先ソフトを設定するリンク設定手段を備えた構成としている。
そして、より好ましくは、前記本体部の上面後部に前記キー部を設け、カーソル位置を可変操作するためのフラット型ポインティングデバイスであるタッチパッド部を前記キー部の前方に設け、カーソル位置に応じた指示を入力するための左右クリックボタン部を前記タッチパッド部の前方に並設し、前記リンクボタン部を前記タッチパッド部の境界部に一部が入り込むように設けることである。さらには、前記リンクボタン部は、複数のリンク先ソフトを起動した後に、起動された特定のリンク先ソフトのメール受信や録画開始などが自動的に行われた場合に、他に優先してこの動作に対応する色を回転して発光するようにしたものである。さらには、メール受信が自動的に行われた場合に色を一方に回転して発光するようにすると共に、録画開始が自動的に行われた場合に色を他方に回転して発光するようにしたものである。
【０００８】
【発明の実施の形態】
以下、本発明の一実施形態を、図面を用いて説明する。
【０００９】
まず、本発明の一実施形態に係る薄型コンピュータ装置の概要を、図１及び図２を参照しながら説明する。本実施形態のコンピュータ装置１は、本体部２及びディスプレイ部３を備えて構成され、パソコンとしての機能を有している。本体部２とディスプレイ部３とは配線を介して接続され、データの送受信及び電力の供給が行なわれるようになっている。
【００１０】
図１において、本体部２は薄型で略矩形の箱体２ａ内にパソコンとして機能させるための機器や構成要素を収納して形成されている。本体部２の上面には入力部４、稼働表示ランプ９、ファンクションボタン３０及び電源スイッチ１１が備えられている。本実施形態では、ファンクションボタン３０の一例として、稼働表示ランプの左側に配置され、オーディオ等の音量調節を行う音量調節ボタンと、稼働表示ランプ９の右側に配置され、インターネット等の各種機能にワンタッチで接続するワンタッチボタンとから構成されている。
【００１１】
入力部４は、キー部５、タッチパッド部６、クリックボタン部７及びリンクボタン部８、ファンクションボタン３０を備えて構成されている。
【００１２】
キー部５は、キーが公知の配列で多数並べられており、本体部２の上面後部側の略半分を占めるように設けられている。このキー部５によって多様な文字等を迅速に入力可能となっている。
【００１３】
タッチパッド部６は、トラックボールと同等の入力機能をもつカーソル位置を可変操作するためのフラット型ポインティングデバイスであり、キー部５の前方に設けられている。クリックボタン部７は、カーソル位置に応じた指示を入力するためのものであり、左クリックボタン部７と右クリックボタン部７とから構成され、タッチパッド部６の前方に並置されている。リンクボタン部８は、アプリケーションなどを起動したり複数のネットワークとの接続を切換えたりする機能と、ボタンの状況を表示する機能とを備えており、二つのタッチパッド部６の境界部に一部が入り込むように設けられている。タッチパッド部６、クリックボタン部７及びリンクボタン部８は、パッド基板１７に搭載されている。
【００１４】
これらのタッチパッド部６、クリックボタン部７及びリンクボタン部８は、本体部２の上面前部中央に一群となって配置されているため、タッチパッド部６、クリックボタン部７及びリンクボタン８を、例えば、指等により操作する場合に、指を大きく移動させることなく、これらを操作することができるので、操作性が良好なものとなっている。特に、タッチパッド部６は比較的大きな入力面をもっているので、カーソル移動操作が容易・確実で、しかも、その前部にクリックボタン部７が位置しているので、マウスに匹敵する操作性を発揮することができ、その上、リンクボタン部８がクリックボタン部７の境界部に入り込んで位置しているので、スペースファクタを良好にしつつ入力操作性の優れたものとすることができる。
また、一群となったタッチパッド部６、クリックボタン部７及びリンクボタン部８が本体部２の上面にキー部５と前後に配置されているので、この点からも入力操作性の優れたものとなっている。
【００１５】
箱体２ａは箱状ベース部２ａ１及びカバー２ａ２で構成されている。箱体２ａの内部には、図２に示すように、光学ドライブ１３、ＨＤＤ装置１４、制御部１５、及び電源１６などが収納されている。制御部１５は制御ボード（メイン基板）で構成され、電源１６はバッテリで構成されている。
【００１６】
ディスプレイ部３は、液晶ディスプレイ３ａを前面枠部３ｂと背面板３ｃとの間に配置して構成されている。液晶ディスプレイ３ａは、ＬＣＤパネルで構成され、文字、画像及び映像が表示される。ディスプレイ部３は、本体部２にヒンジ部１２を介して回動可能に装着されており、折り畳むことも、回動して１８０度開くことも、回動途中で静止することも可能になっている。
【００１７】
ここで、リンクボタン部８の具体的構造について、図３を参照しながら説明する。リンクボタン部８は、リンクリンクボタン８ａ、リンクリンクスイッチ８ｂ及びＬＥＤ８ｃを備えて構成されている。
【００１８】
リンクボタン８ａは、透明または半透明の樹脂で略円盤状に形成され、その上面が中央部から外側に円弧状に高く形成されてレンズ機能を有するようになっている。また、リンクボタン８ａは、下面中央部がパッド基板１７の軸支部１７ａにより支持され、周縁部を押すことにより傾動可能となっている。リンクスイッチ８ｂは、リンクボタン８ａの周縁部の下方にリンクボタン８ａと同心に前後左右に４つ設けられ、リンクボタン８ａの周縁部を前後左右に傾動することによりオンされるようになっている。従って、リンクボタン部８は４方向ボタンとして機能する。なお、リンクボタン８ａに決定キーの機能を備えるようにしてもよい。
【００１９】
ＬＥＤ８ｃは、リンクボタン８ａの下方にリンクボタン８ａと同心に多数設けられ（リンクボタン８ａの周縁部に対応して、前後左右４箇所及びその中間に設けられ）、電源スイッチ１１やリンクスイッチ８ｂなどのオン動作により点灯されるようになっている。また、各ＬＥＤ８ｃは、複数の色の光を発するように構成されており、本実施例では、レッド、オレンジ、イエロー、グリーン、ライトブルー、ブルー及びパープルの７色の光を発するようになっている。このＬＥＤ８ｃから発せられる光は、リンクボタン８ａを透過し、リンクボタン８ａの上方から視認可能である。なお、リンクスイッチ８ｂ及びＬＥＤ８ｃは、パッド基板１７上に載置されている。
【００２０】
次に、リンクボタン部８の変形例について図４を参照しながら説明する。図４（ａ）に示す例は、リンクボタン８ａが四角形であり、その左右上下の周縁部に矢印マークをつけて操作部を明示すると共にその矢印マークに対応するようにリンクスイッチ８ｂが設置されており、その矢印マーク部を操作することにより該当するリンクスイッチ８ｂがオンされるようになっている。図４（ｂ）に示す例は、リンクボタン８ａがひし形であり、その頂点部に対応するようにリンクスイッチ８ｂが設置されており、その頂点部を操作することにより該当するリンクスイッチ８ｂがオンされるようになっている。図４（ｃ）に示す例は、リンクボタン８ａが４つの頂点を有する星型であり、その頂点部に対応するようにリンクスイッチ８ｂが設置されており、その頂点部を操作することにより該当するリンクスイッチ８ｂがオンされるようになっている。図４（ｄ）に示す例は、リンクボタン８ａが６つの頂点を有する星型で、リンクスイッチ８ｂがその頂点に対応して６つ配置されており、その頂点部を操作することにより該当するリンクスイッチ８ｂがオンされるようになっている。
【００２１】
さらにコンピュータ装置１の構成を図５を参照しながら説明する。コンピュータ装置１は、電源部、制御部１５、入力部、利用機器、及び出力部などを備えて構成される。
【００２２】
電源部は、電源スイッチ１１及び電源１６を備え、外部電源または電源１６から電力を各構成要素に供給するようになっている。電源スイッチ１１及び電源１６は制御部１５に接続され、電源スイッチ１１の操作によって電源１６の入切が行なわれる。
【００２３】
制御部１５は、コンピュータ装置１の主要な制御を司るものであり、電源部、入力部、利用機器、及び出力部が接続されている。
【００２４】
入力部は、キー部５、タッチパッド部６、クリックボタン部７及びリンクボタン部８、ファンクションキー部３０などで構成されると共に、外部インターフフェイス２０を介してマウス２１ｂ及びマイク２１ｆを接続して構成されるようになっている。入力操作部で操作された操作信号は制御部１５に入力されるようになっている。
【００２５】
利用機器は、光学ドライブ１３、ＰＣカード１９、及びＨＤＤ装置１４などで構成されると共に、外部インターフフェイス２０を介してネットワーク２１ａ、ＤＶＤなどのＡＶ機器２１ｃ、外部チューナー２１ｄ、及びヘッドフォン２１ｅなどを接続して構成されるようになっている。ＡＶ機器２１ｃはテレビやオーディオ機器等で構成されており、コンピュータ装置１はＡＶ機器としても動作するようになっている。
【００２６】
出力部は、ディスプレイ装置３、リンクボタン部８、及びスピーカー１８で構成されると共に、外部インターフフェイス２０を介してヘッドフォン２１ｅを接続して構成される。これらの出力部は、制御部１５に接続され、制御部１５の制御によって所定の出力が行なわれる。即ち、内蔵したソフトや利用機器の情報などが画面表示や音声で出力されると共に、入力操作部の操作信号に基づいて制御部１５により出力内容が制御される。
【００２７】
次に、リンクボタン部８によるリンク設定に関して図６を参照しながら説明する。
【００２８】
電源スイッチ１１を投入すると、図６に示すイルミネーションリング設定画面が液晶ディスプレイ３ａに表示される。本実施例では、リンクボタン部８の操作により７つのリンク設定ができるようになっている。即ち、リンクボタン８ａの操作部分の数（換言すれば、リンクスイッチ８ｂの数）より多い数のリンクが設定できるようになっている。これによって、使い勝手の優れたものとなっている。なお、電源スイッチ１１を投入しても自動的にイルミネーションリング設定画面が表示されることがないようにしておくことも可能であるが、その場合には、イルミネーションリング設定画面を表示させる操作が行なえるようにしておく必要がある。
【００２９】
本実施形態では、一例として、リンクボタン部８によるリンク設定は第１〜第７の優先順位がつけられて行われるようになっている。この優先順位に対応してＬＥＤ８ｃの発光色が設定されている（本実施例では、第１優先順位から、レッド、オレンジ、イエロー、グリーン、ライトブルー、ブルー及びパープルの順に設定されている）。そして、これらの優先順位及び発光色は、リンクスイッチ８ｂの位置に対応して決定されている。
【００３０】
このリンク設定は、予め定められた標準のリンク設定がディフォルトされている。なお、使用者が最初から全てのリンクを設定するようにしてもよい。リンク設定を行うには、リンク設定画面で順位を選択することにより、リンク設定ダイアログが表示されるので、リンク名及びリンク先を設定することによりおこなうことができる。なお、オプションとして、順位を使用頻度に応じて入れ替えることを設定できるようになっている。図６の例では、リンク先がワイヤレスＬＡＮ接続、メールソフト、インターネットブラウザ、表計算ソフト、テレビ、無線通信接続がその順に優先順位ととなっており、第７優先順位は未設定の状態である。
【００３１】
次に、コンピュータ装置１の動作を図７から図１４を参照しながら説明する。
【００３２】
リンクボタン部８による操作が行われていない初期状態は、図７に示す通りである。図７（ａ）は表示画面例を示し、図７（ｂ）はリンクボタン部８の発光色の状態を示す。この初期状態では、表示画面には図７（ａ）に示すようにリンクボタン部８によるリンク先が立ち上がっていることを示す表示が行われず、リンクボタン部８には図７（ｂ）に示すように第１〜第４優先順位の色が表示される。この表示された色に基づいてリンクボタン部８を操作することにより、初期状態から第１〜第４優先順位のリンク先ソフトを選定して起動することが可能である。これによって、極めて容易にリンク先ソフトを起動することができる。ここで、左、右、前、後の順にリンクボタン部８の第１〜第４の優先位置が決められている。
【００３３】
次に、各アプリケーションを起動させた状態におけるリンクボタンの表示の一例について説明する。まず、図８を参照して、表計算ソフトのアプリケーションを起動させた状態について説明する。図７で示す初期状態から例えばリンクボタン部８の後側（図８の下側）を操作すれば、図８に示すようにリンク先の表計算ソフトが立ち上がり、図８（ａ）に示すように最下段バーの斜線の表示で表計算ソフトが立ち上がっていることを示す表示が行われる。この最下段バーの斜線の表示は、複数のリンク先を立ち上げている場合に、それを認識できることで特に有用である。立ち上がった表計算ソフトが動作状態の場合には、表計算ソフトの画面内に動作状態が斜線のように表示される。この状態において、リンクボタン部８は、４つの方向の全てが表計算ソフトに対応する色（グリーン）の表示に変わり、この色に対応する表計算ソフト画面の左右上下方向のカーソルキーとして機能する。これによって、表計算ソフトの操作性を優れたものとすることができる。
【００３４】
また、本実施形態では、リンクボタンの全方向の表示が、起動させたアプリケーションと対応する色で表示されるので、アプリケーションの確認が容易にでき、誤操作を防止することができる。
【００３５】
次に、図９を参照して、ネットワーク接続のアプリケーションを起動させた状態について説明する。図７で示す初期状態から例えばリンクボタン部８の前側（図８の上側）を操作すれば、図９に示すようにリンク先のインターネットブラウザが立ち上がり、図９（ａ）に示すように最下段バーの斜線の表示でインターネットブラウザが立ち上がっていることを示す表示が行われる。この最下段バーの斜線の表示は、複数のリンク先を立ち上げている場合に、それを認識できることで特に有用である。立ち上がったインターネットブラウザが動作状態の場合には、インターネットブラウザの画面内に動作状態が斜線のように表示される。この状態で、リンクボタン部８は、前後の２つの方向がインターネットブラウザに対応する色（イエロー）の表示に変わり、この色に対応するインターネットブラウザ画面の上下方向のカーソルキーとして機能する。これによって、インターネットブラウザの操作性を優れたものとすることができる。
【００３６】
なお、本実施形態では、ネットワーク接続が動作状態において、リンクボタンの上下２方向を使用しており、リンクボタンの左右２方向が空くので、ここに他のアプリケーションを割り当てようにしてもよい。
【００３７】
次に、図１０を参照して、メールソフトのアプリケーションを起動させた状態について説明する。図７で示す初期状態から例えばリンクボタン部８の右側を操作すれば、図１０に示すようにリンク先のメールソフトが立ち上がり、図１０（ａ）に示すように立ち上がったメールソフトの斜線の表示と共に最下段バーの斜線の表示でメールソフトが立ち上がっていることを示す表示が行われる。リンク先のメールソフトを立ち上げている状態でメールを受信すると、図１０（ｂ）に示すようにリンクボタン部８の全周が所定の色に変わると共に、メールソフトに対応する色（オレンジ）が部分的に表示され、これが全周を回転する。これによって、メール受信を容易に視認することができる。このメール受信におけるリンクボタン部８の動作は、他のリンク先が立ち上げられている状態でも優先して行なわれるようになっているので、メール受信を直ぐに容易に確認することができる。なお、リンクボタン部８における色の回転は、メール受信の表示時間を短時間とするため、数回以内とすることが望ましい。
【００３８】
次に、図７で示す初期状態から例えばリンクボタン部８を複数回操作し、リンク先の複数のソフトを立ち上げた状態を図１１に示す。この状態では、図１１（ａ）の最下段バーの斜線の表示で示されるように複数のソフトが立ち上がっていることを示す表示が行われる。また、リンクボタン部８を操作してリンク先のソフトを立ち上げると、リンクボタン部８を操作した側の操作後には、リンクボタン部８に未表示のリンク先の中の次に優先順位の高いリンク先に対応する色が表示され、当該リンク先が選択可能になる。このようにして、リンクボタン部８の前後左右の４つの操作部を超えるソフトを選択することができるので、使い勝手の優れたものとすることができる。なお、図１１の状態では、表示画面に立ち上げられた３つのリンク先が選択できると共に、リンクボタン部８から４つのリンク先を選択することができるので、７つのリンク先を全て選択することができる。
【００３９】
例えば、図１２はテレビのアプリケーションを起動させた状態を示しており、リンク先のテレビが立ち上がった状態で、その内容を録画（予約録画を含む）をする場合には、リンクボタン部８に表示される色の回転方向が図１２（ａ）〜（ｄ）に示すように逆転するようになっている。これによって、上述したメール受信と容易に区別することができ、この点からも使い勝手の優れたものとなっている。
【００４０】
次に、図１３を参照して、電源（バッテリ）の残量表示について説明する。電源１６の電池が消耗してきた場合には、図１３に示すように、リンクボタン部８の表示の色で警報される。即ち、通常状態では図１３（ａ）に示すようにリンクボタン部８の全周がグリーンで表示され、電源１６の電池が消耗してくると、図１３（ｂ）に示すようにリンクボタン部８の全周がオレンジに変わり、さらに機研状態まで進展すると、レッドに変わってより強い警報となるようになっている。これにより、リンクボタン部８を利用して電源１６の充電量を容易に確認することができる。
【００４１】
次に、図１４を参照して、ワイヤレスアンテナの受信状態について説明する。本実施形態では、ワイヤレスアンテナの受信状態が良好な場合には、リンクボタン８が、例えば、グリーンで全表示されるようになっている。この状態から、コンピュータ装置１がワイヤレスアンテナの圏外に近づいていくと、図１４（ａ）に示すようにリンクボタン部８の全周がイエローに表示される状態と、図１４（ｂ）に示すようにリンクボタン部８の全周が色表示されない状態とが繰り返される。これにより、リンクボタン部８を利用してコンピュータ装置１がワイヤレスアンテナの圏外に位置するかどうかを容易に確認することができる。
【００４２】
【発明の効果】
以上の一実施実施形態の説明から明らかなように、本発明によれば、リンク先ソフトを直ぐに且つ容易に起動できる使い勝手の良好なコンピュータ装置を得ることができる。
【図面の簡単な説明】
【図１】本発明の一実施形態のコンピュータ装置を示す斜視図である。
【図２】図１のコンピュータ装置の分解図である。
【図３】図１のコンピュータ装置のリンクボタン部の説明図である。
【図４】同リンクボタン部の変形例を示す図である。
【図５】図１のコンピュータ装置の構成図である。
【図６】リンク設定画面例を示す図である。
【図７】リンク設定状態を説明する図である。
【図８】他のリンク設定状態を説明する図である。
【図９】他のリンク設定状態を説明する図である。
【図１０】他のリンク設定状態を説明する図である。
【図１１】他のリンク設定状態を説明する図である。
【図１２】テレビの録画時のリンクボタン部の動作説明図である。
【図１３】電池の充電状態の警告動作を説明する図である。
【図１４】ワイヤレスアンテナの圏外に位置する場合の表示を説明する図である。
【符号の説明】
１…コンピュータ装置、２…本体部、２ａ…箱体、３…ディスプレイ部、３ａ…液晶ディスプレイ、４…入力部、５…キー部、６…タッチパッド部、７…クリックボタン部、８…リンクボタン部、８ａ…リンクボタン、８ｂ…リンクスイッチ、８ｃ…ＬＥＤ、９…機器稼動表示ランプ、１１…電源スイッチ、１２…ヒンジ部、１３…光学ドライブ、１４…ＨＤＤ装置、１５…制御部、１６…電源、１７…パッド基板、１７ａ…軸支部、１８…スピーカー、１９…ＰＣカード、２０…外部インターフェース、２１…外部機器、２１ａ…ネットワーク、２１ｂ…マウス、２１ｃ…ＡＶ機器、２１ｄ…外部チューナー、２１ｅ…ヘッドフォン、２１ｆ…マイク、２２…制御部。
【図１】
2004287546.tif 000003
【図２】
2004287546.tif 000004
【図３】
2004287546.tif 000005
【図４】
2004287546.tif 000006
【図５】
2004287546.tif 000007
【図６】
2004287546.tif 000008
【図７】
2004287546.tif 000009
【図８】
2004287546.tif 000010
【図９】
2004287546.tif 000011
【図１０】
2004287546.tif 000012
【図１１】
2004287546.tif 000013
【図１２】
2004287546.tif 000014
【図１３】
2004287546.tif 000015
【図１４】
2004287546.tif 000016